(57)【要約】  本開示の実施例は、端末の誤接触防止方法及び装置を提供し、前記端末の誤接触防止方法は、環境光の輝度を取得することと、前記環境光の輝度が輝度閾値よりも小さい場合、前記端末のボディ姿勢を決定することと、前記端末のボディの姿勢が倒立姿勢である場合、誤接触防止モードを起動することとを含む。【選択図】図１
2019537285.tif 000002
【特許請求の範囲】
【請求項１】
端末の誤接触防止方法であって、
環境光の輝度を取得するステップと、
前記環境光の輝度が輝度閾値よりも小さい場合、前記端末のボディ姿勢を決定することと、
前記端末のボディの姿勢が倒立姿勢である場合、誤接触防止モードを起動することとを含む、前記端末の誤接触防止方法。
【請求項２】
前記端末のボディ姿勢を決定することは、
加速度センサーを通じて重力加速度ベクトルを収集することと、
前記重力加速度ベクトルと前記端末のボディ座標系における所定の座標軸との間の夾角が夾角閾値よりも小さい場合、前記端末のボディ姿勢は倒立姿勢であると決定することとを含み、
ここで、前記所定の座標軸は、前記端末の上端方向を向く座標軸である
請求項１に記載の端末の誤接触防止方法。
【請求項３】
前記誤接触防止モードを起動する前に、
前記端末のボディ姿勢が前記倒立姿勢である持続時間長を計時することと、
前記持続時間長が時間長閾値を超える場合、前記誤接触防止モードに入るステップを実行することとをさらに含む
請求項１に記載の端末の誤接触防止方法。
【請求項４】
前記端末のスクリーンがオフスクリーン状態にある場合、前記環境光の輝度を取得するステップを実行することをさらに含む
請求項１乃至３のいずれか１項に記載の端末の誤接触防止方法。
【請求項５】
前記環境光の輝度を取得することは、
光センサーを通じて前記環境光の輝度を取得すること、
または、
カメラを通じて前記環境光の輝度を取得することを含む
請求項１乃至３のいずれか１項に記載の端末の誤接触防止方法。
【請求項６】
前記誤接触防止モードを起動することは、
前記所定部材を非動作状態に設定すること、または、前記所定部材によって報告された信号を受信した場合、前記信号に応答しないことを含み、
ここで、前記所定部材は、物理的ボタン、仮想ボタン、指紋センサー、圧力センサー、エッジタッチセンサー、タッチディスプレイスクリーン、カメラのうちの少なくとも１つを含む
請求項１乃至３のいずれか１項に記載の端末の誤接触防止方法。
【請求項７】
前記環境光の輝度が輝度閾値よりも大きい場合、及び/または、前記夾角が前記閾値よりも大きい場合、前記誤接触防止モードを終了することをさらに含む
請求項２に記載の端末の誤接触防止方法。
【請求項８】
端末の誤接触防止装置であって、
環境光の輝度を取得するように構成される取得モジュールと、
前記環境光の輝度が輝度閾値よりも小さい場合、端末のボディ姿勢を決定するように構成される決定モジュールと、
前記端末のボディの姿勢が倒立姿勢である場合、誤接触防止モードを起動するように構成される誤接触防止モジュールとを含む、前記端末の誤接触防止装置。
【請求項９】
前記決定モジュールは、
加速度センサーを通じて重力加速度ベクトルを収集し、前記重力加速度ベクトルと前記端末のボディ座標系における所定の座標軸との間の夾角が夾角閾値よりも小さい場合、前記端末のボディ姿勢は倒立姿勢であると決定するように構成され、
ここで、前記所定の座標軸は、前記端末の上端方向を向く座標軸である
請求項８に記載の端末の誤接触防止装置。
【請求項１０】
前記端末の誤接触防止装置は、計時モジュールをさらに含み、
前記計時モジュールは、前記端末のボディ姿勢が前記倒立姿勢である持続時間長を計時するように構成され、
前記誤接触防止モジュールは、前記持続時間長が時間長閾値を超える場合、前記誤接触防止モードに入るように構成される
請求項８に記載の端末の誤接触防止装置。
【請求項１１】
前記取得モジュールは、前記端末のスクリーンがオフスクリーン状態にある場合、前記環境光の輝度を取得するように構成される
請求項８乃至１０のいずれか１項に記載の端末の誤接触防止装置。
【請求項１２】
前記取得モジュールは、光センサーを通じて前記環境光の輝度を取得するように構成され、
または、
前記取得モジュールは、カメラを通じて前記環境光の輝度を取得するように構成される
請求項８乃至１０のいずれか１項に記載の端末の誤接触防止装置。
【請求項１３】
前記誤接触防止モジュールは、前記所定部材を非動作状態に設定し、または、前記所定部材によって報告された信号を受信した場合、前記信号に応答しないように構成され、
ここで、前記所定部材は、物理的ボタン、仮想ボタン、指紋センサー、圧力センサー、エッジタッチセンサー、タッチディスプレイスクリーン、カメラのうちの少なくとも１つを含む
請求項８乃至１０のいずれか１項に記載の端末の誤接触防止装置。
【請求項１４】
前記誤接触防止モジュールは、前記環境光の輝度が輝度閾値よりも大きい場合、及び/または、前記夾角が前記角度閾値よりも大きい場合、前記誤接触防止モードを終了するように構成される
請求項９に記載の端末の誤接触防止装置。
【請求項１５】
端末の誤接触防止装置であって、
プロセッサと、
前記プロセッサによって実行可能な命令を記憶するように構成されるメモリとを含み、
ここで、前記プロセッサは、
環境光の輝度を取得し、
前記環境光の輝度が輝度閾値よりも小さい場合、端末のボディ姿勢を決定し、
前記端末のボディの姿勢が倒立姿勢である場合、誤接触防止モードを起動するように構成される、前記端末の誤接触防止装置。
【請求項１６】
コンピュータ可読記憶媒体であって、
請求項１乃至７のいずれか１項の端末の誤接触防止方法を実現するように、前記プロセッサによってロードされて実行される、少なくとも１つの命令が記憶されている、前記コンピュータ可読記憶媒体。
【発明の詳細な説明】
【技術分野】
【０００１】
本開示の実施例は、マンマシンインタラクション分野に関し、特に、端末の誤接触防止方法及び装置に関する。
【０００２】
［関連出願と相互参照］
本願発明は、２０１７年１０月２７日に出願された出願番号２０１７１１０２３４９５．Ｘの中国特許出願の優先権を主張し、上記中国特許出願の内容は全体が参照により本明細書に組み込まれる。
【背景技術】
【０００３】
現在の移動端末は、タッチディスプレイスクリーンを有し、タッチディスプレイスクリーンはユーザーインタフェースを表示するように構成することができ、ユーザーのタッチ操作を受信するように構成することもできる。
【０００４】
誤接触される可能性を低下するために、従来技術では、端末のフロントパネルに距離センサーが設けられ、距離センサーを通じて外部物体と端末のフロントパネルとの間の距離を検出し、この距離が所定の閾値よりも小さいときに、端末の画面はオフスクリーン状態にあるようにする端末の誤接触防止方法を提供する。
【発明の概要】
【発明が解決しようとする課題】
【０００５】
本開示の実施例は、距離センサーが端末に設けられていない場合に、妥当な誤接触防止の技術的解決策がないという技術的問題を解決することができる端末の誤接触防止方法及び装置を提供する。
【課題を解決するための手段】
【０００６】
前記技術的解決策は次のとおりである。
【０００７】
本開示の実施例の第１の態様によれば、端末の誤接触防止方法を提供する。前記端末の誤接触防止方法は、
環境光の輝度を取得することと、
前記環境光の輝度が輝度閾値よりも小さい場合、前記端末のボディ姿勢を決定することと、
前記端末のボディの姿勢が倒立姿勢である場合、誤接触防止モードを起動することとを含む。
【０００８】
一つの選択的な実施例において、前記端末のボディの姿勢を決定することは、
加速度センサーを通じて重力加速度ベクトルを収集することと、
前記重力加速度ベクトルと前記端末のボディ座標系における所定の座標軸との間の夾角が夾角閾値よりも小さい場合、前記端末のボディ姿勢は倒立姿勢であると決定することとを含み、
ここで、前記所定の座標軸は、前記端末の上端方向を向く座標軸である。
【０００９】
一つの選択的な実施例において、誤接触防止モードを起動する前に、
前記端末のボディ姿勢が前記倒立姿勢である持続時間長を計時することと、
前記持続時間長が時間長閾値を超える場合、前記誤接触防止モードに入るステップを実行することとをさらに含む。
【００１０】
一つの選択的な実施例において、前記端末の誤接触防止方法は、
前記端末のスクリーンがオフスクリーン状態にある場合、前記環境光の輝度を取得するステップを実行することをさらに含む。
【００１１】
一つの選択的な実施例において、前記環境光の輝度を取得することは、
光センサーを通じて前記環境光の輝度を取得すること、または、カメラを通じて前記環境光の輝度を取得することを含む。
【００１２】
一つの選択的な実施例において、前記誤接触防止モードを起動することは、
前記所定部材を非動作状態に設定すること、または、前記所定部材によって報告された信号を受信した場合、前記信号に応答しないことを含み、
ここで、前記所定部材は、物理的ボタン、仮想ボタン、指紋センサー、圧力センサー、エッジタッチセンサー、タッチディスプレイスクリーン、カメラのうちの少なくとも１つを含む。
【００１３】
一つの選択的な実施例において、前記端末の誤接触防止方法は、
前記環境光の輝度が輝度閾値よりも大きい場合、及び/または前記夾角が前記閾値よりも大きい場合、前記誤接触防止モードを終了することをさらに含む。
【００１４】
本開示の第２の態様によれば、端末の誤接触防止装置を提供する。前記端末の誤接触防止装置は、
環境光の輝度を取得するように構成される取得モジュールと、
前記環境光の輝度が輝度閾値よりも小さい場合、端末のボディ姿勢を決定するように構成される決定モジュールと、
前記端末のボディの姿勢が倒立姿勢である場合、誤接触防止モードを起動するように構成される誤接触防止モジュールとを含む。
【００１５】
一つの選択的な実施例において、前記決定モジュールは、加速度センサーを通じて重力加速度ベクトルを収集し、前記重力加速度ベクトルと前記端末のボディ座標系における所定の座標軸との間の夾角が夾角閾値よりも小さい場合、前記端末のボディ姿勢は倒立姿勢であると決定するように構成され、
ここで、前記所定の座標軸は、前記端末の上端方向を向く座標軸である。
【００１６】
一つの選択的な実施例において、前記端末の誤接触防止装置は、計時モジュールをさらに含み、
前記計時モジュールは、前記端末のボディ姿勢が前記倒立姿勢である持続時間長を計時するように構成され、
前記誤接触防止モジュールは、前記持続時間長が時間長閾値を超える場合、前記誤接触防止モードに入るように構成される。
【００１７】
一つの選択的な実施例において、前記取得モジュールは、前記端末のスクリーンがオフスクリーン状態にある場合、前記環境光の輝度を取得するように構成される。
【００１８】
一つの選択的な実施例において、前記取得モジュールは、光センサーを通じて前記環境光の輝度を取得するように構成され、または、前記取得モジュールは、カメラを通じて前記環境光の輝度を取得するように構成される。
【００１９】
一つの選択的な実施例において、前記誤接触防止モジュールは、前記所定部材を非動作状態に設定するように構成され、または、前記所定部材によって報告された信号を受信した場合、前記信号に応答しないように構成され、
ここで、前記所定部材は、物理的ボタン、仮想ボタン、指紋センサー、圧力センサー、エッジタッチセンサー、タッチディスプレイスクリーン、カメラのうちの少なくとも１つを含む。
【００２０】
一つの選択的な実施例において、前記誤接触防止モジュールは、前記環境光の輝度が輝度閾値よりも大きい場合、及び/または、前記夾角が前記角度閾値よりも大きい場合、前記誤接触防止モードを終了することをさらに含む。
【００２１】
本開示の第３の態様によれば、端末の誤接触防止装置を提供する。前記端末の誤接触防止装置は、
プロセッサと、
前記プロセッサによって実行可能な命令を記憶するように構成されるメモリとを含み、
ここで、前記プロセッサは、
環境光の輝度を取得し、
前記環境光の輝度が輝度閾値よりも小さい場合、端末のボディ姿勢を決定し、
前記端末のボディの姿勢が倒立姿勢である場合、誤接触防止モードを起動するように構成される。
【００２２】
本開示の第４の態様によれば、前記第１の態様を実現するように、前記プロセッサによってロードされて実行される、少なくとも１つの命令が記憶されている、コンピュータ可読記憶媒体を提供する。
【発明の効果】
【００２３】
本開示の実施例を通じて提供される技術的解決策は、以下の有益な効果を含む。
【００２４】
環境光の輝度が輝度の閾値よりも小さく且つボディの姿勢が倒立姿勢である場合、端末が現在使用者のポケット内にあると判断して誤接触防止モードを起動する。このように、端末上に距離センサーが設けられていないときに妥当な誤接触防止の技術的解決策がないという問題を解決し、端末上に光センサーと加速度センサーのみが具備されても、比較的に正確なポケットのシーン認識を実現することができ、誤接触防止モードを正確に起動する効果に達することができる。
【００２５】
上記の一般的な説明及び下記の詳細な説明は単なる例示であり、実施例を限定するためのものではないことを理解すべきである。
【図面の簡単な説明】
【００２６】
【図１】本発明の一例示的な実施例に係る端末の誤接触防止方法を示すフローチャートである。
【図２】本発明の他の一例示的な実施例に係る端末の誤接触防止方法を示すフローチャートである。
【図３】本発明の一例示的な実施例に係るボディ座標系の概略図である。
【図４】本発明の他の一例示的な実施例に係る端末の誤接触防止方法を示すフローチャートである。
【図５】本発明の一例示的な実施例に係る端末の誤接触防止装置を示すブロック図である。
【図６】本発明の一例示的な実施例に係る端末の誤接触防止装置を示すブロック図である。
【発明を実施するための形態】
【００２７】
ここの図面も明細書に組み込まれて明細書の一部を構成し、本開示に符合する実施例を示した説明書と一緒に本開示の実施例の原理を解釈するためのものである。
【００２８】
例示的な実施例をここで詳細に説明し、その例を添付図面に示す。以下の説明が図面に関するときに、特に明記しない限り、異なる図面における同一な数字は同一または類似の要素を指す。以下の例示的な実施例において、説明された実施形態は、本開示の実施例と一致するすべての実施例を代表するものではない。むしろ、それらは、添付の特許請求の範囲に詳細記載された本開示の実施例の一部分の態様と一致する装置及び方法の単なる例である。
【００２９】
現在、携帯端末の画面比率はますます大きくなり、カーブした画面だけでなく、全画面も出現した。しかし、同時に、画面比が大きくなるにつれて、移動端末のフロントパネル上に位置する距離センサーは徐々に取り除けられる。距離センサーが取り除けられた後、距離センサーに基づく誤接触防止の解決策はもう利用できなくなる。本開示の実施例は、距離センサーを必要とせずに誤接触防止を正確に達成することができる解決策を提供することができる。
【００３０】
端末が携帯電話である例として、端末がユーザーのポケット（例えば、ズボンポケット）内にあるとき、即時誤接触防止モードをオンして、誤接触を効果的に防止することができる。端末がユーザーのポケットにある場合、一方では、現在の端末は一般にだんだん長くなり、端末の長さはポケットの幅より大きいので、端末はポケット内で横方向の状態に置かれることができないし、他の一方では、ユーザーは携帯電話を使用した後、端末の頭部を先にポケットに入れることができるので、端末はユーザーのポケットの中で倒立姿勢にある。このために、以下の実施例が提供される。
【００３１】
図１は、一例示的な実施例に係る端末の誤接触防止方法を示すフローチャートである。この端末の誤接触防止方法は、端末に適用することができる。この方法は、以下のステップ１０１〜１０３を含む。
【００３２】
ステップ１０１において、環境光の輝度を取得する。
【００３３】
端末には光センサーが設けられることができ、光センサーを通じて環境光の輝度を取得する。
【００３４】
ステップ１０２において、環境光の輝度が輝度閾値よりも小さい場合、前記端末のボディ姿勢を決定する。
【００３５】
環境光の輝度が暗い場合、端末はさらに端末のボディ姿勢を決定する。選択的に、加速度センサーが端末に設けられている場合、端末は、加速度センサーを通じてボディの姿勢を決定することができる。
【００３６】
ステップ１０３において、端末のボディの姿勢が倒立姿勢である場合、誤接触防止モードを起動する。
【００３７】
選択的に、誤接触防止モードは、所定部材を非動作状態に設定するモード、または、前記所定部材によって報告された信号を受信した場合、前記信号に応答しないモードとを含む。
【００３８】
ここで、所定部材は、物理的ボタン、仮想ボタン、指紋センサー、圧力センサー、エッジタッチセンサー、タッチディスプレイスクリーン、カメラのうちの少なくとも１つを含む。
【００３９】
上記のように、本実施例によって提供される端末の誤接触防止方法によれば、環境光の輝度が輝度閾値より小さく且つボディ姿勢が倒立姿勢である場合、端末は現在使用者のポケット内に位置していると判断して、誤接触防止モードを起動する。このように、端末上に距離センサーが設けられていないときに妥当な誤接触防止の技術的解決策がないという問題を解決し、端末上に光センサーと加速度センサーのみ具備されても、比較的に正確なポケットのシーン認識を実現することができ、誤接触防止モードを正確に起動する効果に達することができる。
【００４０】
図２は、本発明の他の一例示的な実施例に係る端末の誤接触防止方法を示すフローチャートである。この端末の誤接触防止方法は、端末に適用することができる。この端末の誤接触防止方法は、ステップ２０１〜２０７を含む。
【００４１】
ステップ２０１において、端末のスクリーンがオフスクリーン状態にある場合、環境光の輝度を取得する。
【００４２】
ユーザーが端末を使用しない場合、端末をスリープモードに設定する。例えば、ユーザーは、端末の画面がオフスクリーン状態になるように、シャットダウンボタンを押す。
【００４３】
選択的に、オフスクリーン状態では、端末はポケット検出モードに入る。端末は、所定の時間間隔ごとに環境光の輝度を取得することができる。
【００４４】
端末のボディ上に光センサーが設けられる。この光センサーは、通常、端末ボディの前面パネルに設けられる。端末は、この光センサーを通じて環境光の輝度を取得する。
【００４５】
可能な実施例において、端末上に光センサーが設けられていない場合、端末はカメラを通じて環境光強度を収集することもできる。
【００４６】
ステップ２０２において、環境光の輝度が輝度閾値よりも小さいかどうかを検出する。
選択的に、この輝度閾値は、１１ｌｕｘなどの予め設定された値である。端末は、今回収集した環境光強度が輝度閾値よりも小さいかどうかを検出する。
【００４７】
環境光の輝度が輝度閾値よりも小さい場合、ステップ２０３に進み、
環境光の輝度が輝度閾値よりも大きい場合、ステップ２０１を再び実行する。
【００４８】
ステップ２０３において、環境光の輝度が輝度閾値よりも小さい場合、加速度センサーを通じて重力加速度ベクトルを収集する。
【００４９】
選択的に、加速度センサーは、Ｘ軸、Ｙ軸及びＺ軸の３つの座標軸を有する３次元空間座標系に対応する。例示的には、端末のボディが垂直に置いた姿勢である場合、加速度センサーの位置を原点とし、水平右方向をＸ軸の正半軸とし、垂直上方向をＹ軸の正半軸とし、ＸＹに対して垂直な平面且つ前方方向に向ける方向をＺ軸の正半軸とし、図３に示した通りである。この３次元空間座標系をボディ座標系とも称する。なお、ボディ座標系のセットアップ方法は限定されない。
【００５０】
選択的に、加速度センサーは、重力の加速度を検出し、３つの座標軸上の重力加速度の成分に基づいて、ボディ座標系における重力加速度のベクトルを計算することができる。
【００５１】
ステップ２０４において、重力加速度ベクトルと所定の座標軸との間の夾角が夾角閾値より小さいかどうかを検出する。
【００５２】
選択的に、所定の座標軸は、端末において垂直上方向に対応する座標軸である。例示的に、図３を参照すると、所定の座標軸は、Ｙ軸の正半軸の方向である。
【００５３】
選択的に、夾角閾値は、エラーを許容するために使用される。夾角閾値は±１５°でもよいし、±３０°でもよい。
【００５４】
端末は、重力加速度ベクトルと端末のボディ座標系における所定の座標軸との間の夾角が夾角閾値より小さいかどうかを検出する。夾角閾値より小さい場合、ステップ２０５に進み、夾角閾値より小さくない場合、再びステップ２０３を実行する。
【００５５】
ステップ２０５において、重力加速度ベクトルと端末のボディ座標系における所定の座標軸との間の夾角が夾角閾値よりも小さい場合、端末のボディ姿勢は倒立姿勢であると決定する。
【００５６】
重力加速度ベクトルは端末のすぐ上を向いているので、端末のボディ姿勢は倒立姿勢であると決定する。
【００５７】
ステップ２０６において、端末のボディ姿勢が倒立姿勢である持続時間長を計時する。
【００５８】
誤検出を減らすために、端末には、端末のボディ姿勢が倒立姿勢である持続時間長を計時するタイマーが設定されることができる。
【００５９】
ステップ２０７において、持続時間長が時間長閾値を超える場合、誤接触防止モードを起動する。
【００６０】
タイマーの計時する時間長が時間長閾値を超える場合、端末は誤接触防止モードを起動する。誤接触防止モードは、所定部材を非作動状態に置くモード、または所定部材によって報告された信号を受信した場合、信号に応答しないモードを含む。
【００６１】
ここで、所定部材は、物理的ボタン、仮想ボタン、指紋センサー、圧力センサー、エッジタッチセンサー、タッチディスプレイスクリーン、カメラのうちの少なくとも１つを含む。
【００６２】
上記のように、本実施例によって提供される端末の誤接触防止方法によれば、環境光の輝度が輝度閾値より小さく且つボディ姿勢が倒立姿勢である場合、端末は現在使用者のポケット内に位置していると判断して、誤接触防止モードを起動する。このように、端末上に距離センサーが設けられていないときに妥当な誤接触防止の技術的解決策がないという問題を解決し、端末上に光センサーと加速度センサーのみ具備されても、比較的に正確なポケットのシーン認識を実現することができ、誤接触防止モードを正確に起動する効果に達することができる。
【００６３】
本実施例によって提供される方法によれば、端末がオフスクリーン状態にある場合、再び端末がポケット内に位置するかどうかを検出することによって、端末のエネルギー消費量を低減することもできる。
【００６４】
本実施例によって提供される方法によれば、加速度センサーを通じて収集された重力加速度ベクトルによって、端末が倒立姿勢であるかどうかを判断し、算出量の少ないアルゴリズムを用いて端末のボディ姿勢の検出を実行することができる。
【００６５】
本実施例によって提供される方法によれば、倒立姿勢にある端末の持続時間長をタイマーを通じてカウントされる場合、持続時間長が所定の閾値に達した場合にのみ、誤接触防止モードを起動するよう決定して、誤判を低減することができる。
【００６６】
なお、端末がユーザーのポケットに存在しない場合、環境が暗く且つ倒立姿勢になる確率は非常に小さい。したがって、本実施例の方法は、検出精度が極めて高く、正確に誤接触防止モードを起動することができる。
【００６７】
一つの選択的な実施形態において、ステップ２０７の後に、図４に示すように、ステップ２０８〜２１０を含む。
【００６８】
ステップ２０８において、誤接触防止モードが起動された後、環境光の輝度が輝度閾値よりも大きいかどうかを検出するステップ２０８を含む。
【００６９】
誤接触防止モードが起動された後、所定の時間間隔ごとに環境光の輝度が輝度閾値よりも大きいかどうかを検出する。
【００７０】
輝度閾値よりも大きいと、ステップ２１０に進む。
【００７１】
輝度閾値よりも大きくないと、ステップ２０９に進む。
【００７２】
ステップ２０９において、重力加速度ベクトルと所定の座標軸との間の夾角が夾角閾値よりも大きいかどうかを検出する。
【００７３】
夾角閾値よりも大きいと、ステップ２１０に進む。
【００７４】
夾角閾値よりも大きくないと、ステップ２０８を再び実行する。
【００７５】
ステップ２１０において、誤接触防止モードを終了する。
【００７６】
端末は、誤接触防止モードを終了する。誤接触防止モードを終了することは、所定部材を動作状態に設定すること、または所定部材によって報告された信号を受信する場合に当該信号に応答することを含む。
【００７７】
ここで、所定部材は、物理的ボタン、仮想ボタン、指紋センサー、圧力センサー、エッジタッチセンサー、タッチディスプレイスクリーン、カメラのうちの少なくとも１つを含む。
【００７８】
上記のように、本実施例によって提供される方法によれば、端末がポケットの外にある場合、端末に対するユーザーの正常の使用に影響を及ぼすことを回避するように、誤接触防止モードを終了することもできる。
【００７９】
選択的に、ステップ２０８とステップ２０９の実行順序をお互いに変えてもよい。
【００８０】
以下は、本開示の装置の実施例であり、本開示の方法実施例を実行するために使用されることができる。本開示の実施例において開示されていない詳細については、本開示の方法の実施例を参照する。
【００８１】
図５は、本発明の一例示的な実施例に係る端末の誤接触防止装置を示すブロック図である。この端末の誤接触防止装置は端末に適用され、この端末は、光センサーと加速度センサーを有することができる。この端末の誤接触防止装置は、
環境光の輝度を取得するように構成される取得モジュール５２０と、
前記環境光の輝度が輝度閾値よりも小さい場合、端末のボディ姿勢を決定するように構成される決定モジュール５４０と、
前記端末のボディの姿勢が倒立姿勢である場合、誤接触防止モードを起動するように構成される誤接触防止モジュール５６０とを含むが、これに限定されない。
【００８２】
一つの選択的な実施例において、決定モジュール５４０は、加速度センサーを通じて重力加速度ベクトルを収集し、前記重力加速度ベクトルと前記端末のボディ座標系における所定の座標軸との間の夾角が夾角閾値よりも小さい場合、前記端末のボディ姿勢は倒立姿勢であると決定するように構成され、ここで、所定の座標軸は、前記端末の上端方向を向く座標軸である。
【００８３】
一つの選択的な実施例において、前記端末の誤接触防止装置は、計時モジュール５８０をさらに含む。
【００８４】
前記計時モジュール５８０は、前記端末のボディ姿勢が前記倒立姿勢である持続時間長を計時するように構成される。
【００８５】
前記誤接触防止モジュール５６０は、前記持続時間長が時間長閾値を超える場合、前記誤接触防止モードに入るように構成される。
【００８６】
一つの選択的な実施例において、前記取得モジュール５２０は、前記端末のスクリーンがオフスクリーン状態にある場合、前記環境光の輝度を取得するように構成される。
【００８７】
一つの選択的な実現例において、前記取得モジュール５２０は、光センサーを通じて前記環境光の輝度を取得するように構成され、または、前記取得モジュール５２０は、カメラを通じて前記環境光の輝度を取得するように構成される。
【００８８】
一つの選択的な実現例において、前記誤接触防止モジュール５６０は、所定部材を非動作状態に設定するように構成され、または、前記所定部材によって報告された信号を受信した場合、前記信号に応答しないするように構成される。
【００８９】
ここで、前記所定部材は、物理的ボタン、仮想ボタン、指紋センサー、圧力センサー、エッジタッチセンサー、タッチディスプレイスクリーン、カメラのうちの少なくとも１つを含む。
【００９０】
一つの選択的な実現例において、前記誤接触防止モジュール５６０は、前記環境光の輝度が輝度閾値よりも大きい場合、及び/または、前記夾角が前記角度閾値よりも大きい場合、前記誤接触防止モードを終了するように構成される。
【００９１】
前記各実施例の装置に関して、各モジュールが動作を実行する具体的な方式については、この方法に関する実施例で詳細に説明したので、ここでは詳細な説明を省略する。
【００９２】
本開示の一例示的な実施例は、本開示の実施例によって提供される端末の誤接触を防止する方法を実現できる端末の誤接触防止装置を提供する。この端末の誤接触防止装置は、プロセッサと、前記プロセッサによって実行可能な命令を記憶するように構成されるメモリとを含み、
ここで、前記プロセッサは、
環境光の輝度を取得し、
前記環境光の輝度が輝度閾値よりも小さい場合、端末のボディ姿勢を決定し、
前記端末のボディの姿勢が倒立姿勢である場合、誤接触防止モードを起動するように構成される。
【００９３】
図６は、本発明の一例示的な実施例に係る端末の誤接触防止装置ブロック図である。例えば、装置６００は、携帯電話、コンピュータ、デジタル放送端末、メッセージング送受信装置、ゲームコンソール、タブレットデバイス、医療デバイス、フィットネスデバイス、パーソナルデジタルアシスタントなどであってもよい。
【００９４】
図６を参照すると、装置６００は、処理コンポーネント６０２、メモリ６０４、電源コンポーネント６０６、マルチメディアコンポーネント６０８、オーディオコンポーネント６１０、入力/出力（Ｉ／Ｏ）インターフェイス６１２、センサコンポーネント６１４及び通信コンポーネント６１６のような一つまたは複数のコンポーネントを含むことができる。
【００９５】
処理コンポーネント６０２は、通常的に、ディスプレイ、電話の呼び出し、データ通信、カメラ操作と記録操作に関連する操作など装置６００の全体的な操作を制御する。処理コンポーネント６０２は、前記方法の全部または一部分を完成するように、１つまたは複数のプロセッサ６１８を含むことができる。なお、処理コンポーネント６０２は、処理コンポーネント６０２と他のコンポーネントとの間のインタラクションを容易にするように、１つまたは複数のモジュールを含むことができる。例えば、処理コンポーネント６０２は、マルチメディアコンポーネント６０８と処理コンポーネント６０２との間のインタラクションを容易にするマルチメディアモジュールを含むことができる。
【００９６】
メモリ６０４は、装置６００での動作をサポートするように、様々なタイプのデータを記憶するように構成される。このようなデータの例には、装置６００上で操作するための任意のアプリケーションまたは方法の命令、コンタクトデータ、電話帳データ、メッセージ、ピクチャ、ビデオなどが含まれる。メモリ６０４は、例えば、スタティックランダムアクセスメモリ（ＳＲＡＭ）、電気的消去可能プログラマブル読取専用メモリ（ＥＥＰＲＯＭ（登録商標））、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気あるいは光ディスクなど、任意タイプの揮発性あるいは非揮発性メモリデバイスまたは彼らの組み合わせによって実現される。
【００９７】
電源コンポーネント６０６は、装置６００の様々なコンポーネントに電力を提供する。電源コンポーネント６０６は、電力管理システム、１つ又は１つ以上の電源、及び装置６００における電力の発生、管理及び配分に関するその他のコンポーネントを含むことができる。
【００９８】
マルチメディアコンポーネント６０８は、装置６００とユーザーとの間の、出力インターフェースを提供するスクリーンを含む。ある実施例では、スクリーンは液晶ディスプレイ（ＬＣＤ）及びタッチパネル（ＴＰ）を含むことができる。スクリーンは、タッチパネルを含む場合はユーザーからの入力信号を受けるようにタッチスクリーンとして実現されることができる。タッチパネルは、タッチ、スライダ、そしてタッチパネル上のジェスチャーを検出する１つ又は１つ以上のタッチセンサーを含む。タッチセンサーは、タッチ又はスライドアクションの範囲（ｂｏｕｎｄａｒｙ）のみならず、タッチ又はスライドアクションに関する時間や圧力も検出することができる。ある実施例では、マルチメディアコンポーネント６０８はフロントカメラ及び／又はリヤカメラを含む。フロントカメラ及びリヤカメラは装置６００が撮影モードあるいはビデオモード等の操作モードである場合、フロントカメラ及び／又はリヤカメラは、外部マルチメディアデータを受信することができる。フロントカメラとリヤカメラそれぞれは固定式光学レンズシステム又はフォーカス及び光学ズーム機能を有し得る。
【００９９】
オーディオコンポーネント６１０は、オーディオ信号を出力及び／又は入力するように構成される。例えば、オーディオコンポーネント６１０は、装置６００が通話モード、録音モード、音声認識モード等の操作モードである場合、外部オーディオ信号を受信するように構成されるマイクロフォン（ＭＩＣ）を含む。受信されたオーディオ信号は更に、メモリ６０４に記憶、あるいは、通信コンポーネント６１６を介して送信されることができる。ある実施例では、オーディオコンポーネント６１０はオーディオ信号を出力するように構成されるスピーカーを更に含む。
【０１００】
Ｉ／Ｏインターフェース６１２は、処理コンポーネント６０２と、キーボード、クリックホイール、ボタン等の周辺インターフェースモジュールとの間のインターフェースを提供する。このようなボタンとは、それらに限定されないが、ホームボタン、ボリュームボタン、スタートボタン及びロックボタンを含んでも良い。
【０１０１】
センサコンポーネント６１４は、装置６００に様々な状態アセスメントを提供するように構成される１つ又は複数のセンサーを含む。例えば、センサコンポーネント６１４は、装置６００のオン／オフ状態、例えばディスプレイ及びキーパッドの装置６００のコンポーネントの相対位置を検出することができ、センサコンポーネント６１４は、装置６００あるいは装置６００のあるコンポーネントの位置変化、ユーザーと装置６００との接触の有無、装置６００の向き又は加速／減速度と装置６００の温度変化をさらに検出することができる。センサコンポーネント６１４は、任意の物理的接触無しに近位物体の存在を検出するように構成される近接センサーを含むことができる。センサコンポーネント６１４は、撮像アプリケーションで使用するためのＣＭＯＳあるいはＣＣＤイメージセンサ等の光センサをさらに含むことができる。ある実施例では、センサコンポーネント６１４は、加速度センサー、ジャイロスコープセンサー、磁気センサー、圧力センサー、あるいは温度センサーをさらに含むことができる。
【０１０２】
通信コンポーネント６１６は、装置６００とその他デバイスとの間の有線又は無線による通信を容易にするように構成される。装置６００は、ＷｉＦｉ、２Ｇあるいは３Ｇ、あるいはそれらの組み合わせ等の通信規格に基づく無線ネットワークにアクセスできる。ある例示的な実施例において、通信コンポーネント６１６は、放送チャネルを介して外部放送マネジメントシステムから放送信号あるいは放送関連情報を受信する。ある例示的な実施例において、通信コンポーネント６１６は近距離通信（ＮＦＣ）モジュールを更に含み、短距離通信を促進する。例えばＮＦＣモジュールは無線周波数識別（ＲＦＩＤ）テクノロジー、赤外線データ通信（ＩｒＤＡ）テクノロジー、超広帯域無線（ＵＷＢ）テクノロジー、ブルートゥース（登録商標）（ＢＴ）テクノロジー及びその他テクノロジーによって実現される。
【０１０３】
例示的な実施例において、装置６００は、特定用途向け集積回路（ＡＳＩＣｓ）、デジタル信号プロセッサ（ＤＳＰ）、デジタル信号プロセッシングデバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ、あるいはその他の電子素子の１つ又は１つ以上によって実現されて、前記端末の誤接触防止方法を実行するように構成されることができる。
【０１０４】
例示的な実施例において、命令が含んでいる非一時的なコンピュータ読み取り可能記憶媒体をさらに提供する。例えば、命令が含んでいるメモリ６０４であり、上記の命令が装置６００のプロセッサ６１８によって実行されて、前記端末の誤接触防止方法を実現することができる。例えば、非一時的なコンピュータ読み取り可能記憶媒体は、ＲＯＭ、ＲＡＭ、ＣＤ−ＲＯＭ、磁気テープ、フロッピー（登録商標）ディスク、光データ記憶デバイスなどであってもいい。
【０１０５】
本開示の実施例のその他実施態様は、明細書の斟酌及びここに開示される発明を実施することにより当業者には明らかであろう。本開示は、本開示の実施例の一般的原理に基づく任意の変更、使用、あるいは適用をカバーすることを意図したものであり、本開示の実施例で開示されていない当技術分野における常識または従来の技術的手段を含む。明細書及び実施例は例示のためのみのものであり、本開示の実施例の真の範囲及び精神は添付される請求の範囲に示されることが意図される。
【０１０６】
本開示の実施例は、上記に記載され且つ図面に例示された正確な構造に限定されず、その範囲から逸脱すること無く種々の修正と変更をなし得るものである。本開示の実施例の範囲は添付する請求の範囲によってのみ限定されることが意図される。
【産業上の利用可能性】
【０１０７】
本開示の実施例を通じて提供される技術的解決策は、以下の有益な効果を含む。
【０１０８】
環境光の輝度が輝度の閾値よりも小さく且つボディの姿勢が倒立姿勢である場合、端末が現在使用者のポケット内にあると判断して誤接触防止モードを起動する。このように、端末上に距離センサーが設けられていないときに妥当な誤接触防止の技術的解決策がないという問題を解決し、端末上に光センサーと加速度センサーのみ具備されても、比較的に正確なポケットのシーン認識を実現することができ、誤接触防止モードを正確に起動する効果を含む。
【図１】
2019537285.tif 000003
【図２】
2019537285.tif 000004
【図３】
2019537285.tif 000005
【図４】
2019537285.tif 000006
【図５】
2019537285.tif 000007
【図６】
2019537285.tif 000008
【国際調査報告】
2019537285.tif 000009
2019537285.tif 000010
2019537285.tif 000011
2019537285.tif 000012